【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
画像形成手段によって複数の画像が形成された一枚の記録材の端部を切断して残余部分を切り離す処理と、前記一枚の記録材上に形成される複数の画像のそれぞれが割り付けられる、前記一枚の記録材における複数の割り付け部分を、それぞれに分割するように、記録材を前記複数の割り付け部分の数に分割する分割処理とを行い、分割された後の記録材のうち画像が形成されている記録材を出力する切断装置であって、
前記残余部分を収納する収納部を備える切断装置において、
一枚の記録材に前記画像形成手段によって形成される画像の数と、前記一枚の記録材における前記複数の割り付け部分の数とから、前記分割処理によって分割された後の記録材に、画像が形成されていない白紙があると判断された場合に、該白紙を前記収納部に収納する
ことを特徴とする切断装置。
【請求項２】
前記分割処理によって分割された後の記録材に白紙があると判断された場合に、分割された後の、画像が形成されている記録紙と前記白紙とを分別する分別手段を有することを特徴とする請求項１記載の切断装置。
【請求項３】
前記白紙が、機外に出力される記録材のサイズより小さく切断されてから前記収納部に収納されることを特徴とする請求項１または２記載の切断装置。
【請求項４】
記録材に画像を形成する画像形成手段と、
複数の画像が形成された一枚の記録材の端部を切断して残余部分を切り離す処理と、前記一枚の記録材上に形成される複数の画像のそれぞれが割り付けられる、前記一枚の記録材における複数の割り付け部分を、それぞれに分割するように、記録材を前記複数の割り付け部分の数に分割する分割処理とを行い、分割された後の記録材のうち前記画像形成手段により画像が形成されている記録材を出力する切断装置と、
前記残余部分を収納する収納部と、
を備える画像形成装置において、
一枚の記録材に前記画像形成手段によって形成される画像の数と、前記一枚の記録材における前記複数の割り付け部分の数とから、前記分割処理によって分割された後の記録材に、画像が形成されていない白紙があると判断された場合に、該白紙を前記収納部に収納
する
ことを特徴とする画像形成装置。
【請求項５】
前記画像形成手段によって一枚の記録材に画像形成する画像の数と、前記一枚の記録材における前記割り付け部分の数とから分割された後の記録材に白紙があるかどうかを判断し、前記白紙がある場合に、前記分割処理によって分割された後の、画像が形成されている記録紙と、前記白紙と、を分別するための分別手段を動作させる制御部を有することを特徴とする請求項４記載の画像形成装置。
【請求項６】
トナー像を担持した記録材を定着ベルトで押圧加熱し、該記録材を該定着ベルトに密着させたままの状態で該定着ベルトとともに冷却してトナー像を固化させ、トナー像が定着した該記録材を該定着ベルトから剥離する定着装置を有することを特徴とする請求項４または５記載の画像形成装置。
【請求項７】
前記切断装置によって、前記白紙が、機外に出力される記録材のサイズより小さく切断されてから前記収納部に収納されることを特徴とする請求項４乃至６のいずれか１項記載の画像形成装置。
【請求項８】
記録材に複数の画像を形成可能な画像形成手段と、複数の画像が形成された記録材を切断して分割する切断装置と、を有し、前記切断装置によって分割された後の記録材のうちの、上記画像形成手段により画像形成が行われているものを出力する画像形成装置において、
前記画像形成手段は、記録材の搬送方向および前記搬送方向と交差する方向のそれぞれで複数の画像が並ぶように複数の画像を形成可能であり、
前記切断装置は、記録材の端部を切断するとともに、記録材に形成される前記複数の画像毎に分割するために前記搬送方向および前記搬送方向と交差する方向に沿って記録材を切断する分割処理を実行可能であり、
前記切断装置が記録材の端部を切断したときに発生する残余部分を収納する収納部を備え、
前記切断装置が前記分割処理を実行することによって複数に分割された記録材に白紙が含まれる場合、前記白紙を前記収納部へ収納することを特徴とする画像形成装置。
【手続補正２】
【補正対象書類名】明細書
【補正対象項目名】００１９
【補正方法】変更
【補正の内容】
【００１９】
上記目的を達成するために、この発明の第１の発明は、
画像形成手段によって複数の画像が形成された一枚の記録材の端部を切断して残余部分を切り離す処理と、前記一枚の記録材上に形成される複数の画像のそれぞれが割り付けられる、前記一枚の記録材における複数の割り付け部分を、それぞれに分割するように、記録材を前記複数の割り付け部分の数に分割する分割処理とを行い、分割された後の記録材のうち画像が形成されている記録材を出力する切断装置であって、
前記残余部分を収納する収納部を備える切断装置において、
一枚の記録材に前記画像形成手段によって形成される画像の数と、前記一枚の記録材における前記複数の割り付け部分の数とから、前記分割処理によって分割された後の記録材に、画像が形成されていない白紙があると判断された場合に、該白紙を前記収納部に収納することを特徴とする切断装置である。
【手続補正３】
【補正対象書類名】明細書
【補正対象項目名】００２０
【補正方法】変更
【補正の内容】
【００２０】
この発明の第２の発明は、
記録材に画像を形成する画像形成手段と、
複数の画像が形成された一枚の記録材の端部を切断して残余部分を切り離す処理と、前記一枚の記録材上に形成される複数の画像のそれぞれが割り付けられる、前記一枚の記録材における複数の割り付け部分を、それぞれに分割するように、記録材を前記複数の割り付け部分の数に分割する分割処理とを行い、分割された後の記録材のうち前記画像形成手段により画像が形成されている記録材を出力する切断装置と、
前記残余部分を収納する収納部と、
を備える画像形成装置において、
一枚の記録材に前記画像形成手段によって形成される画像の数と、前記一枚の記録材における前記複数の割り付け部分の数とから、前記分割処理によって分割された後の記録材に、画像が形成されていない白紙があると判断された場合に、該白紙を前記収納部に収納することを特徴とする画像形成装置である。
【手続補正４】
【補正対象書類名】明細書
【補正対象項目名】００９４
【補正方法】変更
【補正の内容】
【００９４】
以上のように画像が割り付けられた状態を図７に示す。図７に示すように、Ａ４ワイドサイズ（３２０ｍｍ×２１６ｍｍ）の記録材Ｐに対して、ＫＧ判（１５２ｍｍ×１０２ｍｍ）の画像（割り付け部分）が４面に割り付けられて画像が形成される。
【手続補正５】
【補正対象書類名】明細書
【補正対象項目名】０１０９
【補正方法】変更
【補正の内容】
【０１０９】
すなわち、１ジョブ中に出力する総画像枚数（画像形成手段によって形成される画像の数）と、１枚の記録材に配置する画像枚数（一枚の記録材における前記複数の割り付け部分の数）（ここでは４枚）とによって、切断後の出力物に白紙があるかないかが判断される。なお、切断前の記録材に複数の画像を配置できるようにしたときに、切断前の記録材のどの部分を白紙とするかは予め設定されている。例えば、１枚の記録材に４枚の画像を配置できるような上記の形態の場合には、切断後の記録材について白紙が１枚発生するようなときには、図７における右下の箇所を白紙とするように、あらかじめ設定される。白紙が２枚発生する場合には、図７における右下の箇所と、右上の箇所を白紙とするように予め設定されている。白紙が３枚発生する場合には、図７における右下の箇所、右上の箇所および左下の箇所を白紙とするように予め設定されている。
【手続補正６】
【補正対象書類名】明細書
【補正対象項目名】０１１１
【補正方法】変更
【補正の内容】
【０１１１】
このように、ＣＰＵ１０１は、総画像枚数（画像形成手段によって形成される画像の数）と、一枚の記録材に配置する画像枚数（一枚の記録材における前記複数の割り付け部分の数）とによって、切断後の出力物に白紙があると判断すると、画像が形成されている出力物と白紙とを分別するように分別手段としてのフラッパ６８を動作させる。この実施形態においては白紙部分は上述のように予め設定されている。よって１ジョブ中の総画像ページ数と、記録材に配置する画像枚数から判断できる白紙枚数に基づいて、ＣＰＵはフラッパ６８による分別動作を制御する。フラッパ６８によって分別された、画像が形成されている出力物と白紙とは上述したように、それぞれ装置外と、装置内のゴミ箱７０とに移動される。